(57)【要約】【課題】蓋体着脱の操作が簡易で且つ機器取付作業等がし易い電気機器収納箱を提供する。【解決手段】本体１を上下側面板３，４及び背面板２とで構成し、蓋体８を本体１の開放された前面及び左右側面を閉塞する前面板９及び左右側面板１０，１０とで構成した。前面板９の中央上部に本体１に係止操作する平面ハンドル１１を設け、前面板９中央下部に取手１２を設け、更に蓋体８下端に本体１の下側面板４に係合させる落とし込み片１３を前面板９から左右側板１０，１０にかけて一様に形成した。【選択図】　図１
2004039750.tif 000002
【特許請求の範囲】
【請求項１】
上下側面板及び背面板から成る本体と、前面板及び左右側面板を有し前記本体の開放された前面及び左右側面を閉塞する蓋体とを備え、
前記前面板の上下何れか一方に前記本体に係止操作する平面ハンドルを設け、他方に握持手段を設けたことを特徴とする電気機器収納箱。
【請求項２】
平面ハンドルを前面板上部中央に１つ設けると共に握持手段を前面板下部中央に１つ設け、更に蓋体下端に本体に係合させるための係合手段を設けた請求項１記載の電気機器収納箱。
【請求項３】
握持手段が取手である請求項１又は２記載の電気機器収納箱。
【発明の詳細な説明】
【０００１】
【発明の属する技術分野】
本発明は、通信機器等の電気機器を収納する箱体に関し、特に電気幹線の途中に通信機器等を設ける場合に、その通信機器等を収納するために電気幹線の配管空間に設置する電気機器収納箱に関する。
【０００２】
【従来の技術】
従来の電気幹線の配管空間等に設置する電気機器収納箱は、図６に示す構造のものが知られている。図６は電気機器収納箱の正面図を示し、２１は建物の壁面等に固定されて電気機器を収納する本体、２２は蓋体であり、本体２１は前面のみ開放されて背面板と上下側面板、そして左右側面板とから成り、開放された前面に板状の蓋体２２が配置されている。
蓋体２２は、上部中央にコイン型キー２３、左右中央に取手２４，２４を有し、本体２１の開口部に収納されるように配置されて、下部が本体２１の下側面板に落とし込み固定され、コイン型キー２３により上部を本体２１にロックすることで装着固定されていた。
そして、蓋体２２の取外し操作は、コイン型キー２３によるロックを解除した後、蓋体２２の左右２個の取手２４，２４を握って、下部の落とし込み部から抜き取って行っていた。
【０００３】
【発明が解決しようとする課題】
しかし、上記従来の電気機器収納箱は、蓋体２２は重心が前方に位置するためコイン型キー２３のロックを解除した状態では蓋体２２は前方に倒れて落ちやすい構造となっていた。そのため、蓋体２２の着脱操作をする際、蓋体２２の落下を防ぐように注意して操作しなければならなかった。また、蓋体２２を操作する場合は２つの取手２４，２４を握持して行うが、キー操作する際に少なくとも片手を放さなければ成らず作業が面倒であった。
更に、電気機器収納箱は通常電気幹線の配管空間等の狭い場所に設置されるため作業空間の確保が難しいのに加えて、上記電気機器収納箱は蓋体２２を外しても本体２１の前面が開放されるだけなので、機器の取付けや結線作業がし辛かった。
そこで、本発明は上記問題点に鑑み、蓋体着脱の操作が簡易であって、且つ機器取付作業等がし易い電気機器収納箱を提供することを目的とする。
【０００４】
【課題を解決するための手段】
上記課題を解決するため、請求項１の発明は、上下側面板及び背面板から成る本体と、前面板及び左右側面板を有し前記本体の開放された前面及び左右側面を閉塞する蓋体とを備え、前記前面板の上下何れか一方に前記本体に係止操作する平面ハンドルを設け、他方に握持手段を設けたことを特徴とする。
【０００５】
請求項２の発明は、請求項１の発明において、平面ハンドルを前面板上部中央に１つ設けると共に握持手段を前面板下部中央に１つ設け、更に蓋体下端に本体に係合させるための係合手段を設けたことを特徴とする。
また、請求項３の発明は、請求項１又は２の発明において、握持手段が取手であることを特徴とする。
【０００６】
【発明の実施の形態】
以下、本発明を具体化した実施の形態を、図面に基づいて詳細に説明する。図１は本発明に係る電気機器収納箱の一例を示す斜視図であり、本体と蓋体を分離した状態を示している。本体１は、背面板２、上側面板３、そして下側面板４を有し、前方及び左右側方が開放されている。そして、上側面板３は円形の電線挿通孔５が形成され、下側面板４には長方形の開口部６が形成されている。
【０００７】
蓋体８は本体１前面を覆う前面板９とその左右に形成された左右側面板１０，１０とから成り、本体１の開放された前面及び左右側面を閉塞するよう形成されている。そして、前面板９の上部中央に本体１に蓋体８を装着した際に蓋体８上部を本体１に係止操作する平面ハンドル１１が設けられている。また、前面板９の下部中央には取手１２が設けられ、平面ハンドル１１と取手１２とで蓋体８を容易に取り扱い操作できるようになっている。尚、平面ハンドル１１は施錠装置であって、前面に設けたハンドルに連動する係止爪を背部に有し、ハンドルの回転操作（ロック操作）で係止対象に係止爪が係止動作する。
【０００８】
図２は蓋体８の正面図を示し、図示するように蓋体８下部には本体１の下側面板４に係合させる係合手段としての落とし込み片１３が形成されている。この落とし込み片１３は図３の蓋体８を本体１に装着する様子を示す側面図に示すように、前面板９から左右側面板１０，１０にかけて連続して一様に形成され、蓋体８を装着した際に下部全体を本体１が保持するよう形成されている。尚、本体１には落とし込み溝（図示せず）が設けられている。
そして、蓋体８の装着操作は、図３に示すように、まず蓋体８下部の落とし込み片１３を本体下側面板４に落とし込んで、上部を本体上側面板３に当接させて平面ハンドル１１を回転してロック操作すればよい。
【０００９】
このように、蓋体を取り外せば本体の前面に加えて左右側方も開放されるので機器取付け作業や結線作業がし易いし、蓋体に左右側板を備えることで、重心が前面板より後方に移動するので、平面ハンドルによるロックを解除しても蓋体が前方に倒れ出して落下するようなことがなく安心して蓋体を操作できる。
また、平面ハンドルと握持手段としての取手を握持することで蓋体を操作できるため、握持手段は最小限の１つで済み、部材を削減できる。
更に、平面ハンドルの回転操作によるロック又はロック解除操作と蓋体着脱操作をハンドル等を持ち替えることなく実施でき、着脱操作のアクション数を削減できる。
尚、蓋体下端を落とし込み片として形成しているが、左右２ヶ所に係合手段として爪状の係合片を設けて本体下側面板に係合させて蓋体下部を固定しても良い。
【００１０】
図４は本発明の電気機器収納箱の他の例を示し、蓋体の正面図を示している。図に示すように蓋体８ａの前面下部中央に平面ハンドル１１を設けると共に上部中央に取手１２を設け、上記図１とは握持部の構成が逆になっている。この場合、蓋体８ａの装着は、図５の蓋体装着の様子を示す側面図に示すように、まず蓋体８ａ上部を本体１ａに係止したのち下部を本体１ａの下側面板に当接させて平面ハンドル１１を操作してロックすれば良い。このように取手１２と平面ハンドル１１を逆に配置することもできる。
【００１１】
尚、蓋体８ａ上部には本体１ａの上側面板に係止する係止爪（図示せず）が設けられている。
また、上記実施の形態では、何れも握持手段として取手を１つ設けているが、取手に替えて単に指を挿入する凹部を設けて前面板を直接握持可能に形成しても良く、平面ハンドルと合わせて蓋体を容易に取り扱いできる。
【００１２】
【発明の効果】
以上詳述したように、請求項１の発明によれば、蓋体を取り外せば本体の前面に加えて左右側方も開放されるので機器取付け作業や結線作業がし易い。また、蓋体は左右側面板を備えることで、重心が前面板より後方に移動する。そのため、平面ハンドルによるロックを解除しても蓋体が前方に倒れ出して落下するようなことがなく安心して蓋体を操作できる。
【００１３】
請求項２，３の発明によれば、請求項１の効果に加えて、平面ハンドルと握持手段としての取手を握持することで蓋体を操作できるため、握持手段は最小限の１つで済み、部材を削減できる。
また、平面ハンドルの回転操作によるロック又はロック解除操作と蓋体着脱操作をハンドル等を持ち替えることなく実施でき、着脱操作のアクション数を削減できる。
【図面の簡単な説明】
【図１】本発明に係る電気機器収納箱の実施形態の一例を示し、本体と蓋体を分離した状態の斜視図を示している。
【図２】図１の蓋体の正面図である。
【図３】本体に蓋体を装着するする様子を示す側面図である。
【図４】本発明の他の実施形態を示す蓋体の正面図である。
【図５】図４の蓋体を本体に装着する様子を示す側面図である。
【図６】従来の電気機器収納箱の正面図である。
【符号の説明】
１，１ａ・・本体、２・・背面板、３・・上側面板、４・・下側面板、８，８ａ・・蓋体、９・・前面板、１０・・側板、１１・・平面ハンドル、１２・・握持手段としての取手、１３・・係合手段としての落とし込み片。
【図１】
2004039750.tif 000003
【図２】
2004039750.tif 000004
【図３】
2004039750.tif 000005
【図４】
2004039750.tif 000006
【図５】
2004039750.tif 000007
【図６】
2004039750.tif 000008